(57)【要約】【課題】ワイヤレスの操作部を利用することにより、利用者の使い勝手の向上をはかり、更にワイヤレス操作部の紛失を防止することを目的とする画像形成装置等を提供すること。【解決手段】無線によりワイヤレス操作部１８００が接続された画像形成装置１００において、ワイヤレス操作部１８００の位置を検出する検出部１８５０と、画像形成装置１００に関するジョブの入力を受け付ける操作部１７００と、操作部１７００により入力されたジョブを実行する制御部１０００と、を備え、ワイヤレス操作部１８００が検出部１８５０により所定位置に検出された場合には、入力されたジョブを実行する。【選択図】図２
2011070006.tif 000002
【特許請求の範囲】
【請求項１】
無線によりワイヤレス操作部が接続された画像形成装置において、
前記ワイヤレス操作部の収納状態を検出する検出部と、
画像形成装置に関するジョブの入力を受け付けるジョブ入力部と、
前記ジョブ入力部により入力されたジョブを実行するジョブ実行部と、
を備え、
前記ジョブ実行部は、前記ワイヤレス操作部が前記検出部により収納状態にあると検出された場合には、前記ジョブ入力部により入力されたジョブを実行することを特徴とする画像形成装置。
【請求項２】
前記ジョブ実行部は、前記入力されたジョブが、前記ワイヤレス操作部に関するジョブでない場合については、前記検出部によりワイヤレス操作部の収納状態に関わらず、ジョブを実行することを特徴とする請求項１に記載の画像形成装置。
【請求項３】
前記ワイヤレス操作部を収納する収納部を更に備え、
前記検出部は、前記収納部に設けられており、
前記ジョブ実行部は、前記検出部により前記ワイヤレス操作部が収納部に収納されていると検出された場合には、前記ジョブ入力部により入力されたジョブを実行することを特徴とする請求項１又は２に記載の画像形成装置。
【請求項４】
表示部を更に備え、
前記検出部により前記ワイヤレス操作部が収納状態にあると検出されない場合は、前記表示部に警告表示を行う警告表示部を有することを特徴とする請求項１から３の何れか一項に記載の画像形成装置。
【請求項５】
前記警告表示部は、前記ジョブ入力部によりジョブの入力が受け付けられておらず、かつ、前記検出部により前記ワイヤレス操作部が収納状態にない場合に、前記表示部に警告表示を行うことを特徴とする請求項４に記載の画像形成装置。
【請求項６】
無線によりワイヤレス操作部が接続された画像形成装置において実行されるプログラムにおいて、
前記ワイヤレス操作部の収納状態を検出する検出ステップと、
画像形成装置に関するジョブの入力を受け付けるジョブ入力ステップと、
前記ジョブ入力ステップにより入力されたジョブを実行するジョブ実行ステップと、
を含み、
前記ジョブ実行ステップは、前記ワイヤレス操作部が前記検出ステップにより収納状態にあると検出された場合には、前記ジョブ入力ステップにより入力されたジョブを実行することを実現するプログラム。
【発明の詳細な説明】
【技術分野】
【０００１】
本発明は、無線によりワイヤレス操作部が接続された画像形成装置等に関する。
【背景技術】
【０００２】
従来から、画像データに基づいて、記録用紙に画像を形成する画像形成装置が知られている。近年、画像形成装置は、画像読取部から読み取った画像を記録用紙に記録するだけでなく、例えば画像データとして記憶部に記憶したり、画像形成装置にＬＡＮ(Local Area Network）を介して接続された他の端末や、インターネット等の外部ネットワークを介して他の端末に画像データを送信したりと、いわゆる複合機と呼ばれる種々の機能が利用可能な画像形成装置が知られている。
【０００３】
ここで、複合機として利用される画像形成装置において、画像形成装置を操作するための操作部として、スタートキーや、クリアキー、枚数キー等の各種機能が割り当てられた操作キーの他に、各種文字等が直接入力可能なキーボード等の入力装置を使用することが考えられる。キーボードを利用することにより、例えば画像データの送信先のアドレスを入力する場合や、画像形成装置の設定を行う場合等に利便性が向上することとなる。
【０００４】
また、キーボード等の入力装置と、操作するための装置を接続するためには、ケーブル（有線）を介して接続されるものと、無線を介して接続されるもの（ワイヤレス）がある（例えば、特許文献１参照）。ワイヤレスで接続されるキーボード（ワイヤレスキーボード）は、コンピュータにおいては従前から利用されており、キーボードを自由に設置し、レイアウトや利用する場所にこだわらず利用出来るといった利点があった。
【先行技術文献】
【特許文献】
【０００５】
【特許文献１】実開平５−４３２２８号公報
【発明の概要】
【発明が解決しようとする課題】
【０００６】
通常、コンピュータで利用されるワイヤレスキーボードは、コンピュータ本体に接続された表示装置（例えば、ＣＲＴ）を見ながら操作を行うため、コンピュータを操作する場合にワイヤレスキーボードは必ず利用される。したがって、コンピュータを利用する場合に、ワイヤレスキーボードを紛失してしまうといったことは起こりにくい。
【０００７】
しかし、画像形成装置において利用される場合、操作部（入力装置）はワイヤレスキーボードだけでなく、本体に設けられた操作部（操作キー）も利用可能である。したがって、利用者が利用した場所にワイヤレスキーボードをそのまま放置し、画像形成装置に設けられている収納部や、画像形成装置の近傍に戻し忘れることにより、ワイヤレスキーボードの所在を利用者が失念してしまう恐れがあった。また、異なる利用者がワイヤレスキーボードを利用する場合に、その所在がわからなくなってしまう場合があるといった問題もあった。
【０００８】
上述した課題に鑑み、本発明が目的とするところは、ワイヤレスの操作部を利用する画像形成装置において、当該ワイヤレス操作部の紛失を防止することにより、利用者の使い勝手の向上を目的とする画像形成装置等を提供することである。
【課題を解決するための手段】
【０００９】
上述した課題に鑑み、本発明の画像形成装置は、前記ワイヤレス操作部の収納状態を検出する検出部と、画像形成装置に関するジョブの入力を受け付けるジョブ入力部と、前記ジョブ入力部により入力されたジョブを実行するジョブ実行部と、を備え、前記ジョブ実行部は、前記ワイヤレス操作部が前記検出部により収納状態にあると検出された場合には、前記ジョブ入力部により入力されたジョブを実行することを特徴とする。
【００１０】
また、本発明の画像形成装置において、前記ジョブ実行部は、前記入力されたジョブが、前記ワイヤレス操作部に関するジョブでない場合については、前記検出部によりワイヤレス操作部の収納状態に関わらず、ジョブを実行することを特徴とする。
【００１１】
また、本発明の画像形成装置は、前記ワイヤレス操作部を収納する収納部を更に備え、前記検出部は、前記収納部に設けられており、前記ジョブ実行部は、前記検出部により前記ワイヤレス操作部が収納部に収納されていると検出された場合には、前記ジョブ入力部により入力されたジョブを実行することを特徴とする。
【００１２】
また、本発明の画像形成装置は、表示部を更に備え、前記検出部により前記ワイヤレス操作部が収納状態にあると検出されない場合は、前記表示部に警告表示を行う警告表示部を有することを特徴とする。
【００１３】
また、本発明の画像形成装置において、前記警告表示部は、前記ジョブ入力部によりジョブの入力が受け付けられておらず、かつ、前記検出部により前記ワイヤレス操作部が収納状態にない場合に、前記表示部に警告表示を行うことを特徴とする。
【００１４】
本発明のプログラムは、無線によりワイヤレス操作部が接続された画像形成装置において実行されるプログラムにおいて、前記ワイヤレス操作部の収納状態を検出する検出ステップと、画像形成装置に関するジョブの入力を受け付けるジョブ入力ステップと、前記ジョブ入力ステップにより入力されたジョブを実行するジョブ実行ステップと、を含み、前記ジョブ実行ステップは、前記ワイヤレス操作部が前記検出ステップにより収納状態にあると検出された場合には、前記ジョブ入力ステップにより入力されたジョブを実行することを特徴とする。
【発明の効果】
【００１５】
本発明によれば、ワイヤレス操作部を使用することにより、使い勝手が良くなる反面、画像装置本体に戻し忘れて紛失したり、ワイヤレス操作部の位置を利用者が失念することが有るため、所定の位置に戻さないとジョブが実行出来ない制御とすることにより問題を解決する。
【００１６】
また、ワイヤレス操作部から入力されたデータをジョブが実行するまで保存されることで、キーボードから再入力することを不要とする。
【００１７】
また、画像形成装置に関するジョブは種々有るが、ワイヤレス操作部に関係しないジョブについてはいつでも実行可能とする。
【００１８】
また、利用者に対して、ワイヤレス操作部が所定の位置に検出されないためにジョブが実行出来ないことを速やかに報知する。これにより、ワイヤレス操作部を画像形成装置の所定の位置に戻すことを促すことが出来る。
【図面の簡単な説明】
【００１９】
【図１】本実施形態における画像形成装置の装置構成を説明するための断面図である。
【図２】本実施形態における画像形成装置の機能構成を説明するためのブロック図である。
【図３】本実施形態における画像形成装置の動作処理を説明するための動作フローである。
【図４】本実施形態における実施例を説明するための図である。
【図５】本実施形態における実施例を説明するための図である。
【図６】本実施形態における実施例を説明するための図である。
【発明を実施するための形態】
【００２０】
以下、図面を参照して本発明を実施するための最良の形態について説明する。
【００２１】
［１．装置構成］
図１は、本発明を適用した画像形成装置１００の構成を示すための図（断面図）である。画像形成装置１００は、外部から伝達された画像データに応じて、所定のシート（記録用紙）に対して多色及び単色の画像を形成するもので、装置本体１１０（画像形成部）と、自動原稿処理装置１２０とを備えて構成されている。また、装置本体１１０は、露光ユニット１、現像器２、感光体ドラム３、クリーナユニット４、帯電器５、中間転写ベルトユニット６、定着ユニット７、給紙カセット８１及び排紙トレイ９１等を有して構成されている。
【００２２】
装置本体１１０の上部には、画像読取装置（画像入力部）に該当するものであり、原稿が載置される透明ガラスからなる原稿載置台９２が設けられ、原稿載置台９２の上側には自動原稿処理装置１２０が取り付けられている。自動原稿処理装置１２０は、原稿載置台９２の上に自動で原稿を搬送する。また原稿処理装置１２０は矢印Ｍ方向に回動自在に構成され、原稿載置台９２の上を開放することにより原稿を手置きで置くことが出来るようになっている。
【００２３】
画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００２４】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００２５】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。
【００２６】
露光ユニット１を構成する光走査装置の構成は、後述して具体的に説明する。また露光ユニット１としては、この他発光素子をアレイ状に並べた例えばＥＬやＬＥＤ書込みヘッドを用いる手法も採用出来る。
【００２７】
露光ユニット１は、帯電された感光体ドラム３を入力された画像データに応じて露光することにより、その表面に、画像データに応じた静電潜像を形成する機能を有する。現像器２はそれぞれの感光体ドラム３上に形成された静電潜像を４色（ＹＭＣＫ）のトナーにより顕像化するものである。またクリーナユニット４は、現像・画像転写後における感光体ドラム３上の表面に残留したトナーを、除去・回収する。
【００２８】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００２９】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００３０】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００３１】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。
【００３２】
中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することが出来る。本実施形態では転写電極としてローラ形状を使用しているが、それ以外にブラシなども用いることが可能である。
【００３３】
上述の様に各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００３４】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００３５】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。
【００３６】
中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００３７】
給紙カセット８１は、画像形成に使用するシート（記録用紙）を蓄積しておくためのトレイであり、装置本体１１０の露光ユニット１の下側に設けられている。また手差し給紙カセット８２にも画像形成に使用するシートを置くことが出来る。また、装置本体１１０の上方に設けられている排紙トレイ９１は、印刷済みのシートをフェイスダウンで集積するためのトレイである。
【００３８】
また装置本体１１０には、給紙カセット８１及び手差し給紙カセット８２のシートを転写ローラ１０や定着ユニット７を経由させて排紙トレイ９１に送るための、略垂直形状の用紙搬送路Ｓが設けられている。給紙カセット８１ないし手差し給紙カセット８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００３９】
搬送ローラ１２ａ〜１２ｄは、シートの搬送を促進・補助するための小型のローラであり、用紙搬送路Ｓに沿って複数設けられている。また、ピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙カセット８２の端部近傍に備えられ、手差し給紙カセット８２からシートを１枚ずつピックアップして用紙搬送路Ｓに供給する。
【００４０】
［２．機能構成］
続いて、画像形成装置１００の機能構成について図２を用いて説明する。画像形成装置１００は、制御部１０００に、画像入力部１１００と、画像形成部１２００と、画像メモリ１３００と、記憶部１４００と、通信部１５００と、表示部１６００と、操作部１７００と、ワイヤレスキーボード１８００と、検出部１８５０とがバスを介して接続されている。
【００４１】
制御部１０００は、画像形成装置１００を制御する機能部であり、例えばＣＰＵ等の処理装置により構成されている。制御部１０００は、記憶部１４００に記憶されている各種プログラムを読み出して実行することにより、各機能を実現することとなる。
【００４２】
画像入力部１１００は、記録用紙に記録されている原稿を読み取り、画像データを生成する機能部である。画像入力部１１００において生成された画像データは、画像メモリ１３００に一時記憶される。画像入力部１１００は、例えばスキャナ装置等により構成されており、図１に示した画像読取装置に相当する。
【００４３】
画像形成部１２００は、画像メモリ１３００に記憶された画像データ等に基づいて、記録用紙に画像を形成するための機能部である。例えば、図１に示した装置本体１１０に相当する。
【００４４】
画像メモリ１３００は、画像データを一時記憶するための領域である。画像入力部において入力された画像データや、通信部１５００により受信された画像データが記憶される。
【００４５】
記憶部１４００は、画像形成装置１００の設定状態を記憶したり、画像メモリ１３００において一時記憶された画像データを保存したりするための機能部である。ここで、記憶部１４００は、例えば、半導体メモリ、ハードディスクドライブ、光学式ディスクドライブ等のいずれかの記憶装置により構成されている。また、画像形成装置１００を動作させる為の各種データやプログラム等も記憶している。制御部１０００は、記憶部１４００に記憶されている制御プログラムを読み出して実行することにより、各種制御処理を実行する。
【００４６】
また、記憶部１４００は、操作部１７００又はワイヤレスキーボード１８００より入力された画像形成装置に関するジョブが一時的に記憶される。利用者により、ジョブの実行が指示されると、制御部１０００は、記憶部１４００に一時記憶されたジョブに基づいて処理を実行する。
【００４７】
通信部１５００は、画像形成装置１００をＬＡＮ（例えば、Ｅｔｈｅｒｎｅｔ（登録商標））等のネットワークや、電話回線（例えば、ＩＳＤＮ回線）等に接続するための機能部である。通信部１５００からネットワークを介して他の端末装置から画像データを受信したり、送信したりする。
【００４８】
表示部１６００は、利用者に対して各種情報を表示する機能部であり、操作部１７００は、利用者からの操作入力を受け付ける機能部である。また、操作部１７００から画像形成装置１００が実行するジョブの入力を受け付けることも可能である。
【００４９】
ここで、表示部１６００は、例えば液晶ディスプレイや、有機ＥＬパネル等により構成されており、操作部１７００は、例えば操作ボタン等により構成されている。また、表示部１６００と、操作部１７００とがタッチパネルとして一体に構成されていても良い。
【００５０】
ワイヤレスキーボード１８００は、画像形成装置とワイヤレス通信により接続されているワイヤレス操作部の一種である。また、利用者により画像形成装置１００が実行するジョブが入力される（ジョブ入力部）の機能を有している。
【００５１】
ここで、ワイヤレスキーボード１８００は、例えばキーボードや、タッチパネル等により構成されている。また、ワイヤレス通信の方法（プロトコル）としては、例えば赤外線通信（ＩｒＤＡ）やＢｌｕｅｔｏｏｔｈ（登録商標）、ＺｉｇＢｅｅ（登録商標）等の近距離間通信が用いられる。
【００５２】
検出部１８５０は、ワイヤレスキーボード１８００の位置を検出する機能部である。例えば、検出部１８５０により、ワイヤレスキーボード１８００が、画像形成装置から所定の位置にあるか否かを検出することが出来る。本実施形態においては、ワイヤレスキーボード１８００が、画像形成装置１００に設けられた収納部に収納されたか否かを検出する。
【００５３】
検出方法としては種々の方法があるが、例えばワイヤレスキーボード１８００を収納する場所に機械式のスイッチを設け、スイッチの状態に基づいてワイヤレスキーボード１８００が収納されているか否かを検出しても良いし、ワイヤレスキーボード１８００と画像形成装置１００との状態をセンサ（Ｆｅｌｉｃａ（登録商標）を利用した非接触型のものや、赤外線センサによる収納状態を検出するもの等）を利用して検出しても良い。また、ワイヤレスキーボード１８００とのワイヤレスの受信強度に基づいて、ワイヤレスキーボード１８００の位置（収納状態）を検出してもよい。
【００５４】
［３．処理の流れ］
次に、画像形成装置における処理の流れについて、図３を用いて説明する。図３は、記憶部１４００に記憶されているプログラムを、制御部１０００が実行した場合における処理の流れについて説明した図である。
【００５５】
まず、利用者からジョブの入力があったか否かを判定する（ステップＳ１００）。ジョブの入力がなされた場合は（ステップＳ１００；Ｙｅｓ）、入力されたジョブがワイヤレスキーボード１８００であるワイヤレスキーボードに関係するジョブ（すなわち、ワイヤレスキーボードを利用するジョブ）か否かを判定する（ステップＳ１０２）。
【００５６】
入力されたジョブが、ワイヤレスキーボードに関係しないジョブと判定された場合には（ステップＳ１０２；Ｙｅｓ）、ステップＳ１１２に移行し、入力されて実行を指示されたジョブを実行する（ステップＳ１１２）。
【００５７】
他方、実行を指示されたジョブがキーボードに関係するジョブである場合（ステップＳ１０２；Ｎｏ）、ワイヤレスキーボードからデータが入力される（ステップＳ１０４）。そして、ワイヤレスキーボードからデータが入力され、ジョブの実行指示がされると（ステップＳ１０６；Ｙｅｓ）、ワイヤレスキーボードが収納部に収納されているか否かを判定する（ステップＳ１０８）。具体的には、検出部１８５０により、装置本体１１０に設けられた収納部にワイヤレスキーボード１８００（ワイヤレスキーボード）が収納されているか否かを判定することとなる。
【００５８】
そして、ワイヤレスキーボードがある場合（ステップＳ１０８；Ｙｅｓ）、ワイヤレスキーボードから入力されたデータがジョブに投入され（ステップＳ１１０）、指示されたジョブが実行される（ステップＳ１１２）。
【００５９】
他方、ステップＳ１０８において、ワイヤレスキーボードがない場合、すなわち検出部１８５０によりワイヤレスキーボード１８００を検出出来ない場合（ステップＳ１０８；Ｎｏ）、表示部１６００に警告メッセージを表示することにより、利用者にワイヤレスキーボードが無い旨を報知する（ステップＳ１１４→ステップＳ１０８）。
【００６０】
また、ステップＳ１００において、ジョブの指示がない場合（ステップＳ１００；Ｎｏ）、ワイヤレスキーボードがあるか否かを判定する（ステップＳ１１６）。ここで、ワイヤレスキーボードが無い場合（ステップＳ１１６；Ｎｏ）、表示部１６００に警告メッセージを表示し、利用者にワイヤレスキーボードが無い旨を報知する（ステップＳ１１８）。
【００６１】
このように、本実施形態によれば、ワイヤレスキーボード１８００（ワイヤレスキーボード）からデータが入力された後に、ワイヤレスキーボードが画像形成装置１００の収納部に収納されていない場合（戻していない場合）は、ワイヤレスキーボードを戻す旨のメッセージが報知され、当該ワイヤレスキーボードを戻さないとジョブの実行が保留される。これにより、利用者は、ワイヤレスキーボードを紛失を防止することが出来る。
【００６２】
また、画像形成装置１００が何もジョブを実行していないスタンバイ状態で、ワイヤレスキーボードが画像形成装置１００に戻っていない場合に、表示部１６００でワイヤレスキーボードを戻す旨のメッセージが表示される。したがって、利用者に、スタンバイ状態においてワイヤレスキーボードを戻すよう促すことにより、ワイヤレスキーボードの紛失を防止することが出来る。
【００６３】
［４．実施例］
続いて、実施例について図を用いて説明する。図４は、画像形成装置１００の外観図（斜視図）であり、操作パネル（表示部１６００及び操作部１７００）と、その下部に設けられた収納部にワイヤレスキーボード１８００を収納した状態を示した図である。また、収納部には、検出部１８５０が設けてあり、ワイヤレスキーボード１８００が収納されているか否を検出することが出来る。
【００６４】
ワイヤレスキーボード１８００が、操作パネルの下部の収納部に収納されると、画像形成装置１００に設けられた検出部１８５０により、収納状態が検出される。この状態において、操作部１７００によりジョブの実行を指示する（例えば、テンキーやタッチパネル等によりジョブを入力したあと、スタートキーを押下する）と、ジョブが実行される。
【００６５】
なお、図４では、ワイヤレスキーボード１８００は収納部に収納されているので、ワイヤレスキーボード１８００からの入力は出来ない状態となっている。
【００６６】
図５は、ワイヤレスキーボード１８００を、画像形成装置１００の収納部から外し、キーボード入力可能な状態を示した図である。
【００６７】
ワイヤレスキーボード１８００を使用することで、画像形成装置１００の前を占有して使用すること無く、さらに必要な資料を近くのデスク等に置いてその前でキー入力することが出来非常に使い勝手が良くなる。また、キーボードを利用することにより、操作部１７００に比べて、より利便性の高い入力を行うことが出来る。
【００６８】
しかし、ワイヤレスキーボード１８００を利用者が使ったまま、元に戻さず放置した場合、次の利用者が探さなくてはならないといった問題点を生ずる。
【００６９】
そこで、図５にてワイヤレスキーボードのキー入力の後、操作パネルのスタートキーによりジョブの実行を指示した場合、図４に示したように、ワイヤレスキーボードを画像形成装置１００の収納部に収納されているか、又はワイヤレスキーボードが画像形成装置１００間の近距離に有る場合にジョブの実行を可とする。
【００７０】
これにより、ジョブを実行する場合、ワイヤレスキーボードを画像形成装置１００に戻す又は画像形成装置１００の近くに有ると言う制約を設けることで、ワイヤレスキーボードの紛失を防止することが出来る。
【００７１】
図６は、表示部１６００において表示される表示画面Ｗ１００の一例を示す図である。表示画面Ｗ１００には、「ワイヤレスキーボードを戻して下さい」と報知メッセージＭ１００が表示されている。また、当該メッセージが表示されている間、ジョブの実行が保留されることにより、利用者はワイヤレスキーボードを画像形成装置１００に戻すことになり、ワイヤレスキーボードの紛失を防止することが出来る。
【００７２】
以上、この発明の実施形態について図面を参照して詳述してきたが、具体的な構成はこの実施形態に限られるものではなく、この発明の要旨を逸脱しない範囲の設計等も特許請求の範囲に含まれる。
【００７３】
また、上述した実施形態において、ワイヤレスキーボード１８００（ワイヤレスキーボード）が、収納部に収納されることとして説明したが、所定位置にあることを検出部１８５０が検出してもよい。
【００７４】
例えば、画像形成装置１００の上面に載っていたり、画像形成装置１００の脇に置かれていたり等、きわめて近い位置にあれば良いとすることも出来る。すなわち、ワイヤレスキーボードが紛失することを防止出来る距離に位置していればよく、この場合収納部を画像形成装置１００に設ける必要がなくなる。
【００７５】
また、ワイヤレスキーボード１８００から入力されたデータは、その都度画像形成装置１００に送信されたとしても良いし、一度ワイヤレスキーボード１８００に内蔵されたバッファメモリに記憶され、所定のタイミングで画像形成装置１００（記憶部１４００）に送信されることとしても良い。
【００７６】
すなわち、ワイヤレスキーボード１８００のバッファメモリにジョブが一時的に記憶され、検出部１８５０により、ワイヤレスキーボードが収納されたと検出された時点で、ジョブを受信することとしても良い。
【符号の説明】
【００７７】
１００  画像形成装置
１  露光ユニット
２  現像器
３  感光体ドラム
４  クリーナユニット
５  帯電器
６  中間転写ベルトユニット
７  定着ユニット
１０  転写ローラ
１１ａ，１１ｂ  ピックアップローラ
１３  レジストローラ
６１  中間転写ベルト
６２  中間転写ベルト駆動ローラ
６３  中間転写ベルト従動ローラ
６４  中間転写ローラ
６５  中間転写ベルトクリーニングユニット
８１  給紙カセット
８２  給紙カセット
９１  排紙トレイ
９２  原稿載置台
１１０  装置本体
１２０  原稿処理装置
１０００  制御部
１１００  画像入力部
１２００  画像形成部
１３００  画像メモリ
１４００  記憶部
１５００  通信部
１６００  表示部
１７００  操作部
１８００  ワイヤレスキーボード
１８５０  検出部
【図１】
2011070006.tif 000003
【図２】
2011070006.tif 000004
【図３】
2011070006.tif 000005
【図４】
2011070006.tif 000006
【図５】
2011070006.tif 000007
【図６】
2011070006.tif 000008